(57)【要約】      （修正有）【課題】印刷調整を容易に行うことを可能にする、印刷機またはコピー機の印刷調整方法を提供する。【解決手段】印刷機またはコピー機の印刷調整方法において、印刷されるべき第１の印刷要素の少なくとも１つの第１の領域を選択し、第１の印刷要素とは異なる、印刷されるべき第２の印刷要素の少なくとも１つの第３の領域を選択し、印刷機またはコピー機の印刷調整のために第１の領域と前記第３の領域とを複数、同一の校正紙に印刷し、少なくとも１つの印刷パラメータを、第１の領域を複数印刷する際に領域毎に変え、かつ、第３の領域を複数印刷する際に領域毎に変える。【選択図】図１
2017071216.tif 000002
【特許請求の範囲】
【請求項１】
印刷機またはコピー機の印刷調整方法であって、
印刷されるべき第１の印刷要素の少なくとも１つの第１の領域を選択し、
前記第１の印刷要素とは異なる、印刷されるべき第２の印刷要素の少なくとも１つの第３の領域を選択し、
前記印刷機またはコピー機の印刷調整のために前記第１の領域と前記第３の領域とを複数、同一の校正紙に印刷し、
少なくとも１つの印刷パラメータを、前記第１の領域を複数印刷する際に領域毎に変え、かつ、前記第３の領域を複数印刷する際に領域毎に変える、
ことを特徴とする、印刷機またはコピー機の印刷調整方法。
【請求項２】
前記第１の印刷要素の少なくとも１つの第２の領域を選択し、
前記印刷機またはコピー機の印刷調整のために前記第２の領域を複数、前記第１の領域および前記第３の領域と同じ校正紙に印刷し、
前記第２の領域を複数印刷する際にも、前記少なくとも１つの印刷パラメータを領域毎に変える、請求項１記載の方法。
【請求項３】
前記第２の印刷要素の少なくとも１つの第４の領域を選択し、
前記印刷機またはコピー機の印刷調整のために前記第４の領域を複数、前記第１の領域および前記第３の領域と同じ校正紙に印刷し、
前記第４の領域を複数印刷する際にも、前記少なくとも１つの印刷パラメータを領域毎に変える、請求項１または２記載の方法。
【請求項４】
前記第１の印刷要素と前記第２の印刷要素とを同じ印刷ジョブから選択する、請求項１から３までのいずれか１項記載の方法。
【請求項５】
前記第１の印刷要素と前記第２の印刷要素とを異なる印刷ジョブから選択する、請求項１から３までのいずれか１項記載の方法。
【請求項６】
前記印刷要素はそれぞれ、画像、グラフィックまたはテキストである、請求項１から５までのいずれか１項記載の方法。
【請求項７】
前記校正紙の印刷後、当該校正紙を、人によって、かつ／または、測定システムを用いて評価し、
当該評価に応じて、１つの前記印刷ジョブ若しくは複数の前記印刷ジョブの印刷パラメータを、当該１つの印刷ジョブ全体若しくは当該複数の印刷ジョブ全体に対して同様に設定する、請求項１から６までのいずれか１項記載の方法。
【請求項８】
前記校正紙の印刷後、当該校正紙を、人によって、かつ／または、測定システムを用いて評価し、
前記校正紙上の前記第１の領域の当該評価、有利には前記第１の領域および前記第２の領域の当該評価に応じて、前記第１の印刷要素の印刷パラメータを設定し、
前記校正紙上の前記第３の領域の当該評価、有利には前記第３の領域および前記第４の領域の当該評価に応じて、前記第２の印刷要素の印刷パラメータを設定する、請求項１から６までのいずれか１項記載の方法。
【請求項９】
前記印刷要素をモニター上に表示し、
操作者が少なくとも２つの領域をマーキングし、
マーキングされた当該領域を選択された領域として前記印刷調整に用いる、請求項１から８までのいずれか１項記載の方法。
【請求項１０】
前記校正紙に、個々の前記領域の隣に、それぞれ、前記印刷パラメータの設定値を印刷する、請求項１から９までのいずれか１項記載の方法。
【発明の詳細な説明】
【技術分野】
【０００１】
本発明は、印刷機またはコピー機の印刷調整方法に関する。ここでは、印刷ジョブの本来の印刷前に、１枚または複数枚の校正紙が印刷され、この校正紙の評価結果に応じて、種々の印刷パラメータが設定される。
【０００２】
印刷ジョブの印刷前に、コピー機および印刷機が調整されなければならない。すなわち、手元にある印刷ジョブに対して「微調整」が行われなければならない。この際に、種々の印刷パラメータは、印刷機またはコピー機の異なった設定に応じて、例えば、使用されている被印刷材料の種類および／または使用されている原色に応じて、異なって設定され、これによって、質的に価値の高い印刷画像が得られる。
【０００３】
このために通常は、印刷ジョブの元来の印刷頁を複数、校正刷りし、この際に、それぞれ少なくとも１つの印刷パラメータが変更される。従って、多数の校正紙が作成され、これらは、人によって、ＯＫシート（承認を得た印刷物）と比較され、評価後に廃棄される。特に、複雑なグラフィック要素の場合には、印刷パラメータの最適な設定が求められるまで、このような校正刷りが特に多く必要となる。これは特に、印刷ジョブ内に、印刷パラメータの設定が極めて注意深く行われなければならない、「問題の余地のある」領域が多く存在している場合に必要である。
【０００４】
この公知の方法の欠点は、著しい数の刷り損じ、すなわち廃棄物が生じてしまう、ということである。さらに、印刷機若しくはコピー機のたび重なる始動および停止、並びに、評価されるべき校正紙の取り出しには、膨大な時間と労力がかかってしまう。校正紙の取り出しは、特に、印刷用紙が連続ウェブの形態でつながって配置されており、相応に切り出されなければならない場合に、極めて労力のかかるものになり得る。
【０００５】
著しい数の刷り損じを回避するために、画像要素の１つの部分領域を選択して、選択されたこの領域のみを、校正紙に複数印刷することが知られている。米国特許第５２０４７３６号明細書は、同一の画像要素の２つの領域を選択し、次に、これらの領域を、少なくとも１つの印刷パラメータを変えて、校正紙に複数印刷することを開示している。１つの印刷要素の２つの領域を用いることによって、最適な印刷パラメータがより正確に求められる。この際に、印刷パラメータの設定は、印刷ジョブ全体に対して、統一して行われる。
【０００６】
この発明の欠点は、印刷ジョブの異なる画像要素には、印刷パラメータを異なって設定することが最適な場合がある、ということである。従って、印刷ジョブ全体に対して１つの個別の画像要素しか観察しないことによって、この印刷要素に対しては最適な設定が選択されたが、このような設定が他の印刷要素には適していないかもしれない、という危険が生じる。
【０００７】
印刷機またはコピー機の類似した印刷調整方法が、米国特許第５４９５５３９号明細書から公知である。
【０００８】
本発明の課題は、印刷調整を容易に行うことを可能にする、印刷機またはコピー機の印刷調整方法を提供することである。
【０００９】
上述の課題は、請求項１の特徴部分に記載された構成を有する方法によって解決される。本発明の有利な発展形態は、従属請求項に記載されている。
【００１０】
本発明では、印刷されるべき第１の印刷要素の少なくとも１つの第１の領域と、この第１の印刷要素とは異なる、印刷されるべき第２の印刷要素の少なくとも１つの第３の領域とが選択される。第１の領域も第３の領域も、印刷機またはコピー機の印刷調整のために、同一の印刷用紙に複数印刷される。ここで、少なくとも１つの印刷パラメータが、第１の領域を複数印刷する際に領域毎に変えられ、かつ、第３の領域を複数印刷する際に領域毎に変えられる。
【００１１】
従って、校正紙が１枚だけ印刷されればよく、これまでのように、多数の校正紙が印刷される必要はない。これによって、刷り損じが減る。さらに、印刷調整プロセス全体が１回のフローだけで行われ、これまでのように、複数のフローで行われるのではない。従って、印刷システムは１回だけ始動および停止されればよく、これによって、さらに、時間と労力を格段に節約することができる。
【００１２】
少なくとも２つの異なる印刷要素の少なくとも２つの領域を使用することによって、印刷パラメータをより良好に、１つまたは複数の印刷ジョブの種々の印刷要素に合わせることができる。これは、種々の領域が、統一した印刷パラメータの設定に使用される場合にも、なおのこと、異なる領域に基づいて、属する印刷要素に対して、相応する印刷パラメータの異なる設定が選択される場合にも当てはまる。従って、さらに高い印刷の質が得られる。
【００１３】
択一的に、複数枚の校正紙が印刷されてもよい。これは特に、選択された領域が極めて大きい場合、および／または、１つ若しくは複数の印刷パラメータが多くの種々のバリエーションを有しており、選択された領域が、相応に極めて高い頻度で印刷されなければならない場合に必要となる。このような場合には、印刷されるべき全ての領域を１枚の校正紙上に配置することができず、複数枚の校正紙が必要となることがある。しかし、これらの校正紙は一度に、すなわち、印刷システムの停止および再始動を間に挟むことなく、印刷される。このような場合にも、複数の領域を１枚の校正紙上に配置することによって、必要な校正紙の枚数と必要な労力が低減される。
【００１４】
使用されている１枚若しくは複数枚の校正紙は、特に、被印刷材料の枚葉紙であってよい。択一的に、校正紙が、連続した被印刷材料ウェブの形態でつながって配置されていてもよい。このような場合には、校正紙は、印刷ジョブの本来の印刷の前に、評価のために、このような連続ウェブから切り出される。特にこのような場合には、校正紙を１枚だけ使用することによって、必要な労力が著しく低減される。
【００１５】
本発明の有利な実施形態では、第１の印刷要素の第１の領域だけが選択されるのではなく、第１の印刷要素の、別の第２の領域も、さらに選択される。印刷機またはコピー機の印刷調整のために、この第２の領域も、第１の領域および第３の領域と同じ校正紙に複数印刷される。ここで、第２の領域を複数印刷する際にも、少なくとも１つの印刷パラメータが領域毎に変えられる。このようにして、第１の印刷対象物の複数の、問題の余地のある領域を微調整に使用することができ、特に、質的に価値の高い印刷が実現される。
【００１６】
さらに、第２の印刷要素から、第３の領域に対して付加的に、少なくとも１つの第４の領域が選択されるのは有利である。ここでこの第４の領域は、印刷機またはコピー機の印刷調整のために、第１の領域および第３の領域と同じ校正紙に複数印刷される。第４の領域を複数印刷する場合にも、少なくとも１つの印刷パラメータが領域毎に変えられる。これによって、第２の画像要素においても、複数の、問題の余地のある領域を選択することが可能になり、ここでも、一様な、価値の高い微調整を行うことができる。
【００１７】
本発明の択一的な実施形態では、当然、２つよりも多くの領域、例えば３つの領域が、２つの印刷要素うちの各々から選択されてもよい。さらに、択一的に、２つよりも多くの印刷要素、例えば３つの印刷要素が選択され、これらの印刷要素から、同様に、それぞれ少なくとも１つの領域が印刷調整のために選択され、少なくとも１つの印刷パラメータを相応に変化させて、校正紙上に印刷されてもよい。
【００１８】
使用される領域および印刷要素の数が増えるほど、より多くの、問題の余地のある領域を印刷調整時に考慮することが可能になり、より価値の高い印刷が行われる。
【００１９】
本発明の有利な実施形態では、第１の印刷要素と第２の印刷要素は同じ印刷ジョブから選択される。従って、複数の印刷要素を使用することによって、この印刷ジョブに対して、印刷パラメータを最適に設定することができる。
【００２０】
本発明の択一的な実施形態では、第１の印刷要素と第２の印刷要素が、異なる印刷ジョブから選択されてもよい。これによって、少なくとも２つの印刷ジョブに対する印刷調整を、この方法の１回の実行で行うことができる。これは特に、これらの印刷ジョブの間に、印刷機またはコピー機の設定が変更されない場合、特に印刷材料の種類または使用されている原色が変更されない場合に可能である。従って、種々の、問題の余地のある領域を有する複数の印刷ジョブを続けて印刷する場合であっても、印刷調整を、一枚の校正紙だけを用いて行うことができる。従って、校正紙の必要枚数がさらに低減される。
【００２１】
印刷要素とは、例えば、画像、グラフィックまたはテキストであり得る。特に印刷要素は、個別の対象物として、印刷ジョブ内に組み込まれている、あらゆる要素であり得る。
【００２２】
校正紙を印刷した後、この校正紙は、特に人によって、または、測定システムを用いて自動的に、評価される。この際に、種々の印刷パラメータ設定のうちのどれが、最も良い印刷結果をもたらしたかが特定される。次に、印刷パラメータが、本来の印刷ジョブの処理のために、若しくは、第１の印刷要素と第２の印刷要素が異なる印刷ジョブから取り出されている場合には、これら複数の印刷ジョブの処理のために、相応に設定される。
【００２３】
この際に、特に、印刷パラメータの設定が、１つの印刷ジョブ全体に対して、若しくは、場合によっては、複数の印刷ジョブ全体に対して統一して行われる。従って、１つ若しくは複数の印刷ジョブの間に印刷パラメータを変更する必要がなく、それにも係わらず、複数の印刷要素を使用することによって、印刷機若しくはコピー機の、バランスが取れるように調整された最適な設定が得られ、これによって質的に価値の高い印刷画像が作成される。
【００２４】
択一的に、使用される印刷パラメータを、第１の領域が選択される印刷要素と、第３の領域が選択される印刷要素に対して、異なって設定することができる。この場合には、異なる印刷要素に対する印刷パラメータの選択および設定は、特に、校正紙上の属する領域に基づいて行われる。すなわち、第１の領域の評価に基づいて、第１の印刷要素の印刷パラメータが設定され、第３の領域の評価に応じて、第２の印刷要素の印刷パラメータが設定される。これによって、質的に価値の高い印刷画像のために、個々の印刷要素が著しく異なった印刷パラメータ設定を必要とする場合でも、妥協せずに、これを行うことができるようになり、極めて価値の高い印刷が得られる。
【００２５】
選択された複数の領域のうちの１つの領域、または、選択された複数の領域に対して、印刷パラメータの最適な設定がどのように行われるかの決定が、種々の領域の個別の印象に基づいて行われても、全体的な印象に基づいて行われてもよい。
【００２６】
印刷パラメータとして、特に、コントラスト、種々の印刷モード、着色剤密度、および／または、層の数が使用可能である。
【００２７】
本発明の特に有利な実施形態では、印刷ジョブの少なくとも１枚の印刷頁、有利には印刷ジョブの全ての印刷頁が、モニター上に表示される。特別なコンピュータプログラムを用いて、操作者は、この印刷頁若しくはこれらの印刷頁上で、領域をマーキングすることができる。ここでマーキングされたこの領域は第１の領域として印刷調整に使用され、相応に校正紙上に複数印刷される。
【００２８】
操作者は、このコンピュータプログラムを介して、特にモニター上で、校正紙上の選択された領域の位置を、例えばドラッグ・アンド・ドロップを介して任意に選択することができる。
【００２９】
これに相応して、操作者は、第３の領域および場合によっては第２の領域および第４の領域も選択および配置することができる。
【００３０】
さらに、操作者は、どの印刷パラメータがどのように変えられるべきかを定めることができる。生じている種々のバリエーションの数に応じて、選択された領域が校正紙上に印刷される、相応に必要な頻度が定められる。
【００３１】
特に、操作者は、１枚若しくは複数枚の校正紙上の、選択された種々の領域の配置を自由に選択することができる。さらに操作者は、領域毎に異なる印刷パラメータ設定をあらかじめ決めておくことができる。これらの印刷パラメータの選択された種々の設定の数から、特に、選択された各領域が印刷されなければならない数が得られる。
【００３２】
特に有利には、校正紙上に、個々の領域の隣にそれぞれ、１つ若しくは複数の印刷パラメータの設定値が印刷される。これは次のような利点を有している。すなわち、人による校正紙の評価時に、選択された印刷パラメータ設定と個々の印刷された領域とを対応付けることができ、これに関する誤りが回避される、という利点を有している。
【００３３】
本発明のさらなる特徴および利点は、実施例に基づいて、添付図面と関連して本発明を詳細に説明している以降の明細書から明らかになる。
【図面の簡単な説明】
【００３４】
【図１】第１の実施形態に即した、印刷機またはコピー機の印刷調整方法のフローチャート
【図２】第２の実施形態に即した、印刷機またはコピー機の印刷調整方法のフローチャート
【図３】第３の実施形態に即した、印刷機またはコピー機の印刷調整方法のフローチャート
【図４】第４の実施形態に即した、印刷機またはコピー機の印刷調整方法のフローチャート
【図５】第１の印刷ジョブの概略図
【図６】第２の印刷ジョブの概略図
【図７】第３の印刷ジョブの概略図
【００３５】
印刷機またはコピー機による、１つまたは複数の印刷ジョブの印刷前に、まずは、この印刷機またはコピー機が微調整されなければならない。この際に、質的に価値の高い印刷画像が得られるように、種々の印刷パラメータが１つ若しくは複数の印刷ジョブに合わせられる。印刷調整とも称されるこの微調整は特に、複雑なグラフィック要素、例えば、問題の余地のある領域を含み得る画像が印刷されるべき場合に必要とされる。これは例えば、異なる対象物の間にコントラストの差が僅かしかない領域、観察者が通常、見た目に明確な期待を抱いており、色印象における違いを迅速に識別する領域、印刷するのが困難な要素、例えば黒背景白文字が含まれている領域、一色だけの比較的大きい領域、鮮明な色の移行を有する領域、および／または、色の精度に対して極めて高い要求が課せられている領域、例えば企業のシンボルおよびマークであり得る。
【００３６】
印刷パラメータとして、特に、コントラスト、種々の印刷モード、着色剤密度、および／または、層の数が使用可能である。
【００３７】
図１には、第１の実施形態に即した、印刷機またはコピー機の印刷調整方法のフローチャートが示されている。この方法によって、特に容易に、特に正確な微調整を行うことができる。
【００３８】
ステップＳ１０においてこの方法が開始された後、ステップＳ１２において、印刷されるべき印刷ジョブの選択が行われる。この印刷ジョブが、印刷されるべき１枚の印刷頁だけから成っていても、または、印刷されるべき複数枚の印刷頁から成っていてもよい。各印刷頁は、同様に、１つまたは複数の印刷要素を含み得る。ここでこの印刷要素は、例えば、グラフィック、画像、またはテキストブロックであり得る。
【００３９】
次にステップＳ１４において、印刷ジョブの少なくとも１枚の印刷頁がモニター上に表示される。特に、印刷ジョブの印刷されるべき全ての印刷頁が表示され、操作者は全ての頁を見ることができる。この場合には、全ての頁が、相応に縮小された形でモニター上に同時に表示されても、または、操作者が個々の頁から、例えばスクロールによって選択を行ってもよい。
【００４０】
ステップＳ１６において、操作者によって、モニターで、印刷調整のために考慮されるべき、第１の印刷要素の少なくとも１つの第１の領域が選択される。ここで操作者は、特に、問題の余地があるとみなした少なくとも１つの領域を含んでいる印刷要素を第１の印刷要素として選択し、次に、問題の余地があるこの領域を、微調整のための第１の領域として選択する。この選択は特に、相応する領域をマーキングすることによって行われる。特に、印刷調整のために考慮されるべき領域の選択を可能にする特別なコンピュータプログラムが設けられている。特に、このコンピュータプログラムにおいて、第１の領域のマーキングは、コンピュータのマウスによって、相応するボックスをドラッグすることで行われる。
【００４１】
次に、ステップＳ１８において、校正紙の見本に、選択された第１の領域が配置される。このために特に、コンピュータのモニターに、校正紙の見本が概略的に表示され、この上で、操作者は、選択された領域の所望の位置を定めることができる。特に、この配置を、ドラッグ・アンド・ドロップによって容易に行うことができる。
【００４２】
次にステップＳ２０において、操作者は、同様に、同じ印刷ジョブの第２の印刷要素の、印刷調整のために考慮されるべき第３の領域を選択する。ここで操作者は、特に、同様に、問題の余地のある領域を第３の領域として選択する。
【００４３】
次にステップＳ２２において、第１の領域に対する先行するステップＳ１８と同様に、第３の領域を、校正紙の見本に配置する。これは特に、第１の領域に対して、ステップＳ１８において上述したのと同様に行われる。同じように、ステップＳ２０における選択は、特に、コンピュータプログラムを介して、ステップＳ１６において第１の領域に対して説明したのと同様に行われ得る。
【００４４】
択一的に、初めに第１の領域と第３の領域とが選び出され、その後に初めて、第１の領域と第３の領域とが、校正紙の見本に配置されてもよい。
【００４５】
次に、操作者は、ステップＳ２４において、校正紙上のどの印刷パラメータが変更されるべきかを選択する。この際に、特に、第１の領域と第３の領域とに対して、印刷パラメータが異なって変更される、または、印刷パラメータが同じように変更される。さらに、操作者は、個々の印刷パラメータに対して、どの具体的な値が使用されるべきなのかを選択する。ここから特に、第１の領域と第３の領域とがそれぞれ、校正紙上に印刷されなければならない必要数が得られる。特に、印刷パラメータの各バリエーションに対して、第１の領域に対しても、第３の領域に対しても、それぞれ１つの領域が校正紙上に必要になる。この際に、領域毎に、この印刷パラメータがそれぞれ相応に異なって設定される。印刷用紙上に十分なスペースがある限りは、全ての領域がこの１枚の校正紙上に配置される。特に、操作者は、コンピュータプログラムを用いて、校正紙のどの箇所に、印刷パラメータの種々の値を有する個々の領域が配置されるべきかも定めることができる。
【００４６】
本発明の択一的な実施形態では、ステップＳ２０において、変更されるべき印刷パラメータが、これに対して用いられる値から、操作者によって定められるのではなく、事前に設定された印刷パラメータに対して自動的に、固定した値が用いられる。
【００４７】
次に、ステップＳ２６において、さらなる領域が、印刷調整に対してさらに考慮されるべきか否かが特定される。このさらなる領域が、第１の印刷要素から取り出されても、第２の印刷要素から取り出されても、またはさらなる印刷要素から取り出されてもよい。領域の数および印刷要素の数が多くなるほど、微調整をより正確に行うことができる。
【００４８】
ステップＳ２６において、さらなる領域がさらに選択されるべきことが定められると、ステップＳ２７が行われる。ステップＳ２７で操作者はまず、印刷調整のために考慮されるべき、さらなる領域を選択し、校正紙上に相応に配置する。次に、ステップＳ２６が再度行われる。前回とは異なり、ステップＳ２６において、さらなる領域が選択されるべきでないことが定められると、ステップＳ２８が行われ、ここで校正紙が印刷される。
【００４９】
校正紙が印刷された後、この校正紙はステップＳ３０において評価される。これは、人によって、または、相応する測定装置によって機械的に行われる。この際に、１つまたは複数の印刷パラメータに対して、個別の判断基準に基づいて、または、全体的な印象に基づいて、個々の印刷パラメータのどの設定が最も良い印刷結果をもたらしているかが定められる。
【００５０】
次にステップＳ３２において、ステップＳ３０において事前に求められた最適な設定に相応して、印刷パラメータが設定される。その後、ステップＳ３４において、この方法が終了する。
【００５１】
ステップＳ３０における最適な設定の特定、および、ステップＳ３２における相応の設定は、ここでは一方では、印刷ジョブ全体に対して統一して行われる。このような場合には、最適な設定を求める際に、第１の領域の範囲も第３の領域の範囲も考慮され、包括的に見て、すなわち２つの印刷要素に対して最適な妥協である、印刷パラメータ設定が選択される。
【００５２】
他方では、校正紙の評価、さらに、印刷パラメータに対する最適な設定の選択を、相応する設定によって、それぞれ個別に各印刷要素に対して行うこともできる。このような場合には、印刷パラメータの設定は、第１の印刷要素の印刷に対して、特に、第１の領域の評価に応じて行われ、第２の印刷要素に対して、第３の領域の評価に応じて行われる。
【００５３】
上述した方法によって、必要な校正紙の枚数が低減される。最適なケースでは、１枚の校正紙だけが必要とされる。
【００５４】
さらに、これによって、印刷機若しくはコピー機を複数回、始動および停止させる必要もなくなる。特に連続ウェブの場合に、校正紙を各フローの後に手間をかけて切り出す必要がない。従って、校正紙の節約の他に、時間および労力も節約することができる。
【００５５】
少なくとも２つの印刷要素からの少なくとも２つの領域の使用は、さらに、単に１つの印刷要素からの単に１つの領域または複数の領域の選択と比較して、次のことを可能にする。すなわち、各印刷要素が著しく異なっている場合にも、特に、２つの印刷要素に対して良好な印刷結果をもたらす、印刷パラメータ設定の妥協策を見出すことによって、または、異なる印刷要素に対して異なる印刷パラメータ設定を選択することによって、質的に価値の高い印刷を行うことを可能にする。
【００５６】
図２には、第２の実施形態に即した、印刷機またはコピー機の印刷調整方法が示されている。この方法は、図１に示された第１の実施形態に即した方法とは、次の点において異なっている。すなわち、ステップＳ１１２において２つの印刷ジョブが選択され、次にステップＳ１１６およびＳ１２０において、第１の領域が選択される第１の印刷要素が第１の印刷ジョブから選択され、第３の領域が選択される第２の印刷要素が第２の印刷ジョブから選択される、という点において異なっている。
【００５７】
異なる印刷ジョブから２つの印刷要素を選択することによって、１枚の校正紙だけによって、若しくは、この方法を１回実行するだけで、２つの印刷ジョブに対して、印刷機またはコピー機の印刷調整を行うことができ、それにも係わらず、質的に価値の高い印刷画像が得られる。この場合には、印刷パラメータの設定の特定、並びに、相応の設定を、２つの印刷ジョブに対して同じパラメータ設定が使用されるように行うことも、異なる印刷ジョブに対して異なるパラメータ設定が使用されるように行うこともできる。後者の場合には、第１の領域の評価に応じて最適であると特定された設定が第１の印刷ジョブに対して使用され、第３の領域の評価に応じて特定された最適な設定が第２の印刷ジョブに対して使用される。
【００５８】
図３には、第３の実施形態に即した、印刷機またはコピー機の印刷調整方法のフローチャートが示されている。図３に示されたこの方法は、図１に示された第１の実施形態に即した方法とは、次の点において異なっている。すなわち、ステップＳ２１６において、第１の印刷要素から第１の領域だけが選択されるのではなく、付加的に第２の領域が選択され、ステップＳ２２０において、第２の印刷要素から、第３の領域だけが選択されるのではなく、付加的に第４の領域も選択されるという点において異なっている。各印刷要素に対してそれぞれ２つの領域を使用することによって、印刷要素内の、種々の、問題の余地がある領域も、後続する、印刷パラメータの最適な設定の特定の際に考慮することが可能になる。
【００５９】
本発明の択一的な実施形態では、第１の領域と第２の領域、若しくは、第３の領域と第４の領域とが１つの共通のステップにおいて選択され、配置されるのではなく、全部で４つの領域の選択が繰り返して順々に行われる。
【００６０】
択一的な実施形態では、第１の印刷要素に対してのみ、または、第２の印刷要素に対してのみ、２つの領域を選択することが可能である。
【００６１】
同様に、第１の印刷要素および／または第２の印刷要素に対してそれぞれ、２つよりも多くの領域、例えば３つまたは４つの領域を選択して、相応に考慮することが、択一的に可能である。
【００６２】
図４は、第４の実施形態に即した、印刷機またはコピー機の印刷調整方法のフローチャートを示している。第４の実施形態のこの方法は、図２に示された第２の実施形態の方法とは、次の点においてのみ異なっている。すなわち、第３の実施形態に対して、図３に関連して上述したのと同様に、それぞれ２つの領域が２つの印刷要素に対して使用される、という点においてのみ異なっている。
【００６３】
図５から図７にはそれぞれ、印刷ジョブの概略図が示されており、これによって、上述した方法の実際の使用が明らかになる。３つの印刷ジョブはそれぞれ、ＡＢＣＤ社とＥＦＧＨ社とによる共同企業体ＷＸＹＺの設立に際した、ＡＢＣＤ社、ＥＦＧＨ社およびＷＸＹＺ社の紹介のためのパンフレットである。
【００６４】
図５に示された第１の印刷ジョブのパンフレットは、ＡＢＣＤ社の企業ロゴ５０１を含んでいる。この企業ロゴ５０１は、正確に規定されている第１のコーポレートカラーを有している。さらに、画像５０５が含まれている。この画像にも同様に、相応する第１のコーポレートカラーのＡＢＣＤ社の企業ロゴが含まれている。さらに、第１の印刷ジョブのパンフレットは、ワードドキュメントである本文５１１を含んでいる。
【００６５】
図６に示された第２の印刷ジョブは、同様に、規定されている第２のコーポレートカラーのＥＦＧＨ社の企業ロゴ５０２を含んでいる。第２のコーポレートカラーは第１のコーポレートカラーとは異なる。さらに、同様に、第２のコーポレートカラーのＥＦＧＨ社のロゴを含んだ画像５０６並びにワードドキュメントの本文５１２が第２の印刷ジョブのパンフレットに含まれている。
【００６６】
図７に示された、共同企業体ＷＸＹＺのパンフレットでは、第１のコーポレートカラーのＡＢＣＤ社の企業ロゴ５０１と、第２のコーポレートカラーのＥＦＧＨ社の企業ロゴ５０２との他に、第３のコーポレートカラーの共同企業体ＷＸＹＺの企業ロゴ５０３が含まれている。さらに、衣服が第３のコーポレートカラーを有しているモデルを示す画像５０７が示されている。さらに、この第３の印刷ジョブも、ワードドキュメントフォーマットの本文５１３を有している。
【００６７】
従って、図５に示された第１の印刷ジョブでは、印刷時に、ＰＤＦドキュメントに含まれているロゴ５０１における第１のコーポレートカラーと、ＪＰＧとして印刷ジョブに含まれている画像５０５における、同じコーポレートカラーとが特に重視されなければならない。従って、第１の印刷ジョブが個別の印刷ジョブとして印刷される場合、すなわち、印刷調整がこの印刷ジョブに対してのみ行われる場合には、特に、２つの領域が印刷調整に対して選択される。すなわち、ロゴ５０１と、画像５０５または特に企業ロゴが表示されている画像５０５の一部分である。これによって、相応するコーポレートアイデンティティにおいて正確に規定されている第１のコーポレートカラーが、ロゴにおいて極めて正確に表されることが保証される。
【００６８】
これに相応して、第２の印刷ジョブに対する個別印刷調整時には、問題の余地ある領域であるロゴ５０２と画像５０６とが、相応する領域として、印刷調整のために選択される。
【００６９】
これとは異なり、図７に示された第３の印刷ジョブの印刷時には、２つの領域だけではなく、最適には、４つの領域が印刷調整のために選択される。すなわち、各ロゴ５０１から５０３と画像５０７である。
【００７０】
択一的な方法では、これら３つの印刷ジョブにおいて、それぞれ、ロゴ５０１から５０３だけが、印刷調整のための領域として選択されてもよい。なぜならＪＰＧ画像および本文では、ロゴの色を正確に表現することはそれほど重要でないからである。なぜなら、いずれにせよ、コーポレートカラーは画像の別の要素、例えば、灰色の建築物、青色の空または緑色の植物とコントラストを成し、これによって、異なったイメージが呼び起こされてしまうことがあるからである。
【００７１】
さらに、画像５０５から５０７における各コーポレートカラーの印刷は、特に困難であり得る。なぜなら、例えば画像５０７において、コーポレートカラーは衣服の上の光と影によってさまざまな色に光るからである。
【００７２】
これに対して、３つの全印刷ジョブが、１つの印刷ジョブとしてまとめて印刷されるべき場合、すなわち、３つの全印刷ジョブに対して印刷調整が１回だけ、事前に行われるべき場合には、特に、３つの全印刷ジョブから、問題の余地のある各領域が、印刷調整のための領域として選択される。特に、第１の印刷ジョブから、企業ロゴ５０１と画像５０５とが、第２の印刷ジョブから企業ロゴ５０２と画像５０６とが、第３の印刷ジョブから企業ロゴ５０３と画像５０７とが、印刷調整の基礎となるべき領域として選択される。従って、印刷調整を１回行うだけで、共同企業体のために、見本市等において、まとめて必要とされる３つの全パンフレットを質的に高い価値で印刷することができる。特に各コーポレートアイデンティティによって正確に規定されているコーポレートカラーは相応に厳密に再現される。
【００７３】
上述した方法の別の実際の使用例は、ひげそりの折畳み箱の印刷である。経験上、特別な、問題の余地のある領域は、この箱の上に表されたシェービングクリームである。特に、あらゆる観察者がシェービングクリームに対して極めて具体的な期待を抱いている、すなわち、シェービングクリームは輝くように白いことが期待されている、ということが問題である。さらに、デザイナーによって、箱の上のこの要素が実際よりも白く、かつ、輝くように表されることがしばしばある。なぜなら、これによって感情が動かされ、例えば、潜在的な購入者に購買意欲を湧かせる清涼感が示唆されるはずだからである。
【００７４】
シェービングクリームが表示されたこのような折畳み箱を、公知の印刷調整方法を介して印刷した場合には、クリームが赤みおよび／または黄みがかっており、決して、オフセット印刷機による調整用見本ほどには「清涼感を有して」いない、という問題が生じてしまう。
【００７５】
このような問題は、上述した方法を用いて、シェービングクリームが、印刷調整の基になる領域の１つとして選択されることによって容易に解決される。さらなる領域として、例えば、同様に、折畳み箱上に含まれている企業ロゴを選択することができる。
【符号の説明】
【００７６】
Ｓ１０〜Ｓ３３４  ステップ、  ５０１  第１のコーポレートカラーの企業ロゴ、  ５０２  第２のコーポレートカラーの企業ロゴ、  ５０３  第３のコーポレートカラーの企業ロゴ、  ５０５  第１のコーポレートカラーのロゴを含む画像、  ５０６  第２のコーポレートカラーのロゴを含む画像、  ５０７  第３のコーポレートカラーのモデルを含む画像、  ５１１〜５３０  ワードドキュメントである本文
【図１】
2017071216.tif 000003
【図２】
2017071216.tif 000004
【図３】
2017071216.tif 000005
【図４】
2017071216.tif 000006
【図５】
2017071216.tif 000007
【図６】
2017071216.tif 000008
【図７】
2017071216.tif 000009
【外国語明細書】
2017071216.tif 000010
2017071216.tif 000011
2017071216.tif 000012
2017071216.tif 000013
2017071216.tif 000014
2017071216.tif 000015
2017071216.tif 000016
2017071216.tif 000017
2017071216.tif 000018
2017071216.tif 000019
2017071216.tif 000020
2017071216.tif 000021
2017071216.tif 000022
2017071216.tif 000023
2017071216.tif 000024
2017071216.tif 000025
2017071216.tif 000026
2017071216.tif 000027
2017071216.tif 000028
2017071216.tif 000029
2017071216.tif 000030
2017071216.tif 000031
2017071216.tif 000032
2017071216.tif 000033
2017071216.tif 000034
2017071216.tif 000035
2017071216.tif 000036
2017071216.tif 000037
2017071216.tif 000038
2017071216.tif 000039
2017071216.tif 000040
2017071216.tif 000041
2017071216.tif 000042
2017071216.tif 000043